(57)【特許請求の範囲】
【請求項１】
間隙を有した状態で配置された２枚の板材の一方に設けられた取り付けネジに前記板材の他方から固定ネジにより締め付けて２枚の板材を固定する固定部材において、
前記固定ネジのピッチに同一なピッチを有する第一の内径ネジ孔が形成され、前記一方の板材に固定される取り付けネジと、
前記固定ネジのピッチに同一なピッチを有する第二の内径ネジ孔、及び前記固定ネジのピッチと異なるピッチを有し、かつ前記他方の板材に形成された内径ネジ孔に螺合する第一の外径ネジが形成された突っ張りネジと、
前記取り付けネジの第一の内径ネジ孔と前記突っ張りネジの第二の内径ネジ孔に螺合し、前記突っ張りネジを前記取り付けネジに衝突するまで前記他方の板材側から移動させて前記板材を固定する固定ネジとからなる固定部材。
【発明の詳細な説明】
【技術分野】
【０００１】
本発明は、間隙を有した状態で配置された2つの部材を固定するのに適した固定構造に関する。
【背景技術】
【０００２】
薄厚鋼板やアルミ構成材、ベニヤ板、樹脂、皮革、発泡材等々の部材を固定ネジで締め付け取り付けたり、あるいは柔らかい金属や樹脂、磁器、ガラス等で作られた製品を取り付け締め付けたりしたときに、ネジによる過大な押圧力により発生する歪や落ち込み、あるいは割れ、変形やこれらに起因する機能障害の発生を防止できる固定構造に関する。
寸法不特定の部材に製品を取り付ける際に通常は固定ネジで締め付けていたが、ネジの締め付けは手回しのドライバーにて締め付け具合を調整しながら締め付けていた。部材の形状や材質を吟味し、さらに製品の材質や硬さを把握して取り付けるネジの締め付けはかなりの経験と熟練を要していた。ましてや取り付ける製品の機械的構成物を有するものはネジの締め付け具合や締め付けネジの順番や締め付け力のバラツキにより機械的性能に狂いを生じさせたり、締め付け不足で緩みを生じさせたり、あるいは締め付け過多により割れやヒズミ変形により機能に障害が生じたり、美観をも損なうなどの不都合が生じていた。      
【０００３】
また近年施工作業の効率化のため電動ドライバーによるネジの締め付けが普及しているが、電動ドライバーでは微妙な締め付け力の調整が困難であり、上述のような不都合が多発している。
【発明の開示】
【発明が解決しようとする課題】
【０００４】
本発明はこのような問題に鑑みてなされたものであって、その目的とするところは、背面の取り付けネジとの間隙に係わりなく固定ネジの締め付けによる板材の変形を可及的に防止することのできる固定構造を提供することである。
【課題を解決するための手段】
【０００６】
このような課題を達成するために本発明は、間隙を有した状態で配置された２枚の板材の一方に設けられた取り付けネジに前記板材の他方から固定ネジにより締め付けて２枚の板材を固定する固定部材において、前記固定ネジのピッチに同一なピッチを有する第一の内径ネジ孔が形成され、前記一方の板材に固定される取り付けネジと、前記固定ネジのピッチに同一なピッチを有する第二の内径ネジ孔、及び前記固定ネジのピッチと異なるピッチを有し、かつ前記他方の板材に形成された内径ネジ孔に螺合する第一の外径ネジが形成された突っ張りネジと、前記取り付けネジの第一の内径ネジ孔と前記突っ張りネジの第二の内径ネジ孔に螺合し、前記突っ張りネジを前記取り付けネジに衝突するまで前記他方の板材側から移動させて前記板材を固定する固定ネジとからなる。
【発明の効果】
【０００８】
本発明によれば、固定ネジを締め付ける過程で突っ張りネジを取り付けネジに当接させて板材の背面側を支持した状態で固定ネジを締め付けるため、締め付けによる変形を防止することができる。
【発明を実施するための最良の形態】
【００１０】
そこで以下に本発明の詳細を図示した実施例に基づいて説明する。
（第１実施例）
図１（Ａ）に示した実施例は、家具やキッチン引き出しのツマミや取手Ｃは取手の取り付け底面に施された取り付けネジ１０のネジ孔１１に引き出し部材の裏側より固定ネジ２０にて締め付けたり、図２に示したように取手Ｃから裏面に突出した細ネジ４０をナット４１にて締め付けて取り付けるのに適したものである。
【００１１】
近年、家具やキッチン等の引き出し部材も種々の材質部材が使用され、表面はステンレス材やアルミ、樹脂材の表面装飾板で構成され、内部には発泡材を充填したり、また中空状態として軽量化されている。
このため、ツマミや取手の固定ネジを強い締め付け力で締め付けると、表面装飾板が湾曲や変形したり、あるいは締め付け不足で緩みが発生するなどのトラブルがある。
この実施例はこのような問題に対処するためのものである。
【００１２】
図１（Ａ）において取手Ｃやツマミの底部に固定されたネジ棒、またはインサート棒ネジ１０は、図１（Ｂ）に示したように固定ネジ２０に螺合するネジ孔１１と、後述する突っ張りネジ３０に螺合し、かつネジ孔１１とはピッチが相違する外ネジ１２とを形成して構成されている。
突っ張りネジ３０は、図１（Ｃ）に示したように固定ネジ側にドライバや六角ボルトと係合する溝や孔３１を形成して、固定ネジ側から回動可能に構成されている。
このような構成において、インサートネジ１０に突っ張りネジ３０を、溝や孔３１が固定ネジ側となるように予め螺合させて挿入し、ドライバや六角レンチにより突っ張りネジ３０の先端が他方の表面装飾板Ｂの背面に当接するように回動させる。
【００１３】
この状態で固定ネジ２０をインサートネジ１０のネジ孔１１に螺合させて締め付けると、表面装飾板Ｂの背面が突っ張りネジ３０により支持され、外側と内側との２枚の表面装飾板Ａ、Ｂが正規の距離に維持されるから、固定ネジ２０にて取り付け締め付けても表面装飾板Ａ、Ｂに歪や割れ等を生じることはない。
【００１４】
この実施例によれば、固定ネジ２０のネジ山ピッチと突っ張りネジ３０のネジ山ピッチが相違するので、固定ネジ３０の締め付け回転時に突っ張りネジ３０の回転緩みが生じることがなく、電動ドライバーによる締め付けが可能となり、かつ固定ネジ２０と突っ張りネジ３０はネジ山ピッチの違い効果と緩み方向が逆方向になるので、長時間使用しても、また強い振動や衝撃を受けてもネジに緩みが発生しない。
【００１５】
図２（Ａ）は、取手やツマミＣに敷設されている細径の細ネジ４０を一方の表面装飾板Ａから他方の表面装飾板Ｂに貫通させてナット４１により固定する場合に適した実施例を示すものであって、細ネジ４０に合致するネジ山を有する内径ネジ５１と突っ張りネジ６０と合致する外径ネジ５２を施したナット棒ネジ５０（図２（Ｂ））を細ネジ４０にネジ込み、前述の突っ張りネジ３０をドライバや六角レンチにより先端を他方の表面装飾板Ｂの背面に当接させて、ナット４１を締めることにより、表面装飾板に歪や割れ等を生じることなく固定することができる。
【００１６】
また図３（Ａ）に示したようにアルミサッシュやガラス扉に取り付けられる両面取手ハンドルＤ、Ｅの取り付けに適用するには、扉室側（内側）ハンドルＥを取り付ける際に、ハンドルＥの取り付けネジ７０に突っ張りネジ３０と合致するネジ山を有する外形ネジ７１を形成し、取り付けネジ７０に突っ張りネジ３０をネジ込み、ドライバや六角レンチにより突っ張りネジ３０の先端を他方の表面まで移動させ、正逆両設した固定ネジ８０で締め付け取り付ければ外内ハンドルＤ、Ｅを同時に取り付けられると共に、固定ネジ８０の締め付け過ぎに弱い中空アルミサッシュの凹みやガラスのヒズミひび割れを防止することができる。
【００１７】
（実施例２）
壁面装飾パネルや吊天井防音吸収パネルあるいはスチール家具やスチール構造体等において、取り付けられるパネルや付帯部品の取り付けによってパネル面の凹みや波打ち、割れ等々の問題発生がネジの締め付け取り付ける際に影響していた。ましてはパネル張りを美しく全体を仕上げる為にはかなりの熟練を要していた。
【００１８】
さらに、薄板パネル施工後に吊フックや表札板、電気操作盤等の別部品をネジ止めで取り付けする場合にネジの締め付け具合によって、美しく仕上がった装飾パネル面を波打ち状にして再施工を余儀なくされたことが多くある。ネジの締め付け基礎が安定していないとパネル面の歪や波打ち状態になり、さらに別部品の操作振動や地震等による全体振動によっての歪や曲がり、あるいはパネルが落下することがしばしばあった。
【００１９】
すなわち、図４（Ａ）に示したようにコンクリート素地壁面Ｆに装飾パネルＧをネジ締めで施工する場合には通常アンカーボルトやアンカーナットを打ち込みパネルを重ね張りして取り付けることが通常行われている。この場合、装飾パネルＧの平行度の保持や配管や配線のために壁面ＦとパネルＧとの空間を一定に保つためには、アンカーボルトＨの打ち込み深さ自体を調整をしたり、中間金具を介装して調節していた。
しかし、装飾パネルＧ自体の反りや寸法バラツキの微細調整は固定ネジの締め付け調整でパネル全体のバランスをとることが行われているため、ネジの締め付け強度に差があり締め付けの甘いネジ部が後日外れる原因になった。
【００２０】
本実施例は、このような問題に対処するものであって、アンカーボルトＨに螺合する中継ボルト９０に、図４（Ｂ）に示したように固定ネジ１００に螺合するネジ孔９１と、これの先端側に突っ張りネジ１１０（図４（Ｃ））に螺合するネジ孔９２を形成したものである。なお、図中符号１１１は、突っ張りネジ１１０の固定ネジ側に形成された回動治具を挿入するための孔、もしくは溝を示す。
【００２１】
この実施例によれば、アンカーボルトＨに中継ネジ９０を締め付け、ついで突っ張りネジ１１０の先端がパネルＧの背面に当接するように突っ張りネジ１１０を位置調整し、最後に固定ネジ１００を締め付ける。
この実施例によれば、中継ネジ９０の位置を調整する必要がなく、パネルＧを正規の位置に仮止めした状態で突っ張りネジ１１０を中継ネジ９０に対して相対的に回動させてパルＧの背面に当接させ、その後に固定ネジ１００で規定の強度で締め付けることができる。
【００２２】
この実施例によれば、前述の実施例と同様に、過大なトルクで締め付けが行われても、パネルの背面が突っ張りネジにより支持されているため、パネルの歪の発生を防止でき、電動ドライバーによる施工が可能となる。
【００２３】
さらには、固定ネジ１００のネジ山ピッチと突っ張りネジ１１０のネジ山ピッチ、さらに中継ネジ９０のネジ山ピッチを異ならせておけば、電動ドライバーでのねじ込み時や全体構造物の歪変形や地震による振動を受けてもネジの緩みを防止することができる。
【００２４】
図５（Ａ）に示したように、鉄骨組材Ｊに比較的やわらかい防音吸収パネルＫを取り付ける際には鉄骨組材にじかに取り付けていたり中間取り付け金具Ｌを介してネジ止め取り付けられていた。
このような場合も中間金具の長さバラツキやネジ締め付け具合によりパネル板縁のメシ合わせが合わず波を打ったり、あるいはネジの締め付け過多により防音吸収パネルの反りやヒビ割れにより落下する場合があった。
【００２５】
このような場合にも図４（Ａ）に示した取り付け手法を適用することにより、鉄骨組材から固定吊り下げられた中間金具Ｌに段付棒ネジ１２０をナット１２１等で固定取り付けし、段付棒ネジ１２０の内径ネジ１４２に合致した前述の突っ張りネジ１１０を螺合させ、防音吸収パネルＫの厚みに合った厚みのカラー１２３を介して固定ネジ１００で締め付けることで、変形をきたすことなく固定することができる。
【００２６】
この実施例によれば、比較的やわらかいパネルでも反りや割れを発生させず電動ドライバーにて素早く施工組み込みでき、さらにそれぞれネジのネジ山ピッチを相違させておくことにより固定ネジの緩みを防止でき、また突っ張りネジ１１０によりパネルのメシ合わせや平行合わせを容易に行うことができる。
【００２７】
同様に薄板装飾パネル板に棚受けや吊フック、配線用金具を取り付ける場合にも適用できる。すなわち、図６（Ａ）に示したように構造母体Ｍのあらかじめ予定した位置にスタットボルトやナットＮを溶接し、図４（Ｂ）、（Ｃ）に示したのと同様の段付棒ネジ９０及び突っ張りネジ１１０を螺合し、力−テンウオール材等のパネル材Ｐの表面から吊フックや配線用金具、または棚受け製品部品Ｑを固定ネジ１００により固定する場合も、パネル材Ｐの反りや波打ちを修正するように突っ張りネジ１１０をパネル材Ｐの背面に当接させて固定ネジ１００で固定すればよい。
【００２８】
この実施例においてもパネル材Ｐの背面が突っ張りネジ１１０により所定位置に固定されているから、固定ネジ１００の締め過ぎによるパネル材のへこみや歪、傷つけ等がなく、また吊フックや配線用金具、または棚受け製品部品Ｑへの荷重に対しても中継材である段付棒ネジ９０に直接荷重が作用するのを軽減しできる。また、各ネジ９０、１００、１１０のネジ山ピッチを違えておくことにより振動等によるネジの緩みを防止できる。
【００２９】
（実施例３）
鋼板扉やアルミサッシュ扉あるいはベニヤ板張り扉等において、錠前を介してハンドルを取り付ける際に、ハンドル座の固定ネジを締めすぎると扉面の歪や凹み発生や扉面の塗装の剥がれを起こしたり、あるいはハンドル座の歪や割れを発生させたり、さらには電動ドライバーで固定ネジを締め付けすぎると錠前の機能やハンドルとしての機能までを損なうような障害が生じていた。
【００３０】
また、引き戸等の引き手部品をネジで締め付けて取り付ける場合には特に引き手部品側の部材が薄く、固定ネジの締めすぎにより引き手操作部の変形や反りが発生したり、さらに扉面のへこみや取り付け面との間に隙間が発生するなどの問題があった。
【００３１】
図７に示した実施例は、このような問題に対象するものであって、空間を隔てて配置された板材Ｒ、Ｓに錠前Ｔを取り付ける場合を例にとると、それぞれの板材Ｒ、Ｓの表面側に取り付け座Ｕ、Ｖを当て、一方のハンドル取り付け座Ｖの側から固定ネジ１３０を挿通して他方の取り付け座Ｕの段付棒ネジ１４０に固定する方法が採られている。
【００３２】
このような場合に前述したように固定ネジ１３０が挿通される側の取り付け座Ｖの固定ネジ挿入孔１５０にネジタッツプを施し、固定ネジ側に溝付または六角穴１６１が設けられた突っ張りネジ１６０をねじ込み、このネジ１６０の先端を段付き棒ネジ１４０に当接させてから、固定ネジ１３０により固定する。
【００３３】
この実施例によれば、前述したように突っ張りネジ１６０により２つハンドル取り付け座Ｕ、Ｖの間隔が一定に維持されているので、板材Ｒ、Ｓにへこみや歪を生じることなく、さらには取り付け座Ｕ、Ｖにも変形をきたすことなく固定することができる。これにより、電動ドライバーのように強いトルクでの締め付け作業も可能となり、ネジの緩みも防止できる。
【００３４】
もとより、ハンドル取り付け座Ｕにねじ込み敷設する段付棒ネジ１４０の外座固定ネジ部１４１と固定ネジ１３０のネジ山ピッチとを異ならせれば錠前の点検や取替え時の取り外し時に固定ネジ１３０を逆転回してもピッチ違いのため段付棒ネジ１４０が緩んで空回りして取り外しが出来ない等のトラブルを防止できる。
以上のように、どのような扉や引き戸の構成体のハンドル、引き手構成に適用すれば、取り付け扉面のヒズミや凹み変形を発生させることなく、かつ扉や引き戸の固定ネジ穴周囲の割れや反り変形を防止できる。
（実施例４）
図８（Ａ）乃至（Ｄ）に示した実施例は、作業工程の簡素化を図るとともに汎用性を高めたもので、以下に扉に取り付けるハンドル錠前を取り付ける場合について説明する。
前述の実施例においては、突っ張りネジ１６０をこれに設けた溝や孔により所定の位置まで移動させるようにしているが、この実施例では固定ネジの締め付けだけで突っ張りネジをつれ回りさせて所定位置に調整することができるようにしたものである。
【００３５】
すなわち、固定ネジ１３０が挿通される取り付け座Ｖ’に螺合される突っ張りネジ１６０’（図８（Ｄ））には、固定ネジ１３０と螺合する内径ネジ孔１６２が形成されている。そして突っ張りネジ１６０の外径ネジ山１６３は、そのピッチが内径ネジ孔１６２’のピッチとは相違するように形成されている。
【００３６】
この実施例において図８（Ａ）に示したように突っ張りネジ１６０’を取り付け座Ｖ’にセットした状態で固定ネジ１３０を螺合させると、固定ネジ１３０の締め付け回転時に回転押し付けで同軸方向に突っ張りネジ１６０’にネジ山抵抗を与えると共に、突っ張りネジ１６０’の内径ネジ１６２’が固定ネジ１３０と同一ネジ山ピッチであるため、抵抗回転が同一になり同時に回転押し出し、他方の取り付け座Ｕ’の段付棒ネジ１４０の先端に突き当たり、固定ネジ１３０の回動にかかわらず突っ張りネジ１６０’の移動が停止する（図８（Ｂ））。
【００３７】
この状態で固定ネジ１３０を締め込み続ければネジ山回転抵抗は突っ張りネジ１６０’の内径ネジ１６２’の同一ネジ山ピッチ抵抗のみになり、さらに同一ピッチのために回転ガイドとなりながら段付棒ネジ１４０の内径ネジ１４２に螺合する（図８（Ｃ））。
【００３８】
この実施例によれば、例えば、ハンドルの内外座を扉に挟んで押さえ込み固定ネジでねじ込み取り付ける際に、たとえ扉厚の違いにより間隙が生じていても自動的に突っ張りネジ１６０’が他方の取り付け座の段付棒ネジ１４０に当接して停止するので、段付棒ネジ１４０と突っ張りネジ１６０’とにより取り付け座間の距離が保持されて電動ドライバーによる締め付けによっても歪やそりが生じるのを防止できる。
【００３９】
さらに、ネジの緩み問題に対してもネジがネジ軸同軸方向に強く食い込む方向に突っ張りネジが当たるため、同一ネジ山ピッチであっても同軸方向に突っ張り合うので振動等によるネジの緩みを発生させない効果がある。
さらに固定ネジ１３０が突っ張りネジ１６０’の内径ネジ１６２’と段付棒ネジ１４０とに螺合するため、ダブルネジ効果で緩みや軸横方向の力を受け止めて、振動など緩みを防止して製品機能を長期間維持できる。
【図面の簡単な説明】
【００４０】
【図１】図Ａ乃至図Ｃは、それぞれ本発明の固定構造の一実施例を示す図、取り付けネジの一実施例を示す図、及び突っ張りネジの一実施例を示す図である。
【図２】図Ａ及び図Ｂは、それぞれ本発明の固定構造の他の実施例を示す図、取り付けネジの他の実施例を示す図である。
【図３】図Ａ及び図Ｂは、それぞれ本発明の固定構造の他の実施例を示す図、取り付けネジの他の実施例を示す図である。
【図４】図Ａ乃至図Ｃは、ぞれぞれ本発明の固定構造の他の実施例を示す図、段付き棒ネジの他の実施例を示す図、及び突っ張りネジの他の実施例を示す図である。
【図５】図Ａ、及び図Ｂは、ぞれぞれそれぞれ本発明の固定構造の他の実施例を示す図、及び段付き棒ネジの他の実施例を示す図である。
【図６】同上の固定構造を吊フックや配線用金具の取り付けに適用した場合を示す図である。
【図７】図Ａ、Ｂは、それぞれ本発明の固定構造の他の実施例を示す図、及び突っ張りネジの他の実施例を示す図である。
【図８】図Ａ乃至図Ｃは、それぞれ本発明の他の実施例を取り付け工程により示す図、及び図Ｄは突っ張りネジの他の実施例を示す断面図である。
【符号の説明】
【００４１】
１０  取り付けネジ    ２０  固定ネジ    ３０  突っ張りネジ  ４０  棒ネジ    ７０  取り付けネジ    ８０  固定ネジ    ９０  中継ボルト９０    １００  固定ネジ    １１０  突っ張りネジ    １２０  段付棒ネジ    １２３  カラー    １３０  固定ネジ    １４０  段付棒ネジ    １５０  固定ネジ挿入孔    １６０  突っ張りネジ    １６０’  突っ張りネジ    Ａ、Ｂ  表面装飾板    Ｃ  取っ手    Ｄ、Ｅ  両面取手ハンドル    Ｇ  装飾パネル    Ｈ  アンカーボルト    Ｊ鉄骨組材    Ｋ  防音吸収パネル    Ｌ  中間取り付け金具    Ｍ  構造母体    Ｎ  ナット    Ｐ  パネル材    Ｑ  棚受け製品部品    Ｒ、Ｓ  板材    Ｔ  錠前    Ｕ，Ｖ  取り付け座
【図１】
0004840805.tif 000002
【図２】
0004840805.tif 000003
【図３】
0004840805.tif 000004
【図４】
0004840805.tif 000005
【図５】
0004840805.tif 000006
【図６】
0004840805.tif 000007
【図７】
0004840805.tif 000008
【図８】
0004840805.tif 000009